(57)【要約】      （修正有）【課題】高齢化が進み、転倒などによる骨折などの治療費は年々増加すると推測されている。このような状況の中、効果的な治療法がない現在、転倒などを予防できる足指力の定量評価方法、装置を提供する。【解決手段】足指力を計測し、予め実験で求められている男女各々の足指力と年齢の関係から足指力年齢を算出し、算出された該足指力年齢に対して、コメント・アドバイスを表示することにより、踏ん張る力があるのか、転倒しやすい状態なのかを分かり易く知らせることができるようにしたものである。【選択図】図１
2016022362.tif 000002
【特許請求の範囲】
【請求項１】
プログラムされたコンピュータによって足指力を計測する装置であって、計測ボディ１、足指フック２、位置決めスライドベース３、位置決めスライドベース固定具４、計測プログラムが内蔵された表示・制御・演算・記憶部５を具備し、各部位が一体構造になっており、携帯性も容易な足指力計。
【請求項２】
プログラムされたコンピュータによって足指力を計測する装置であって、足指フック２に足指を載せ、測定者の踵が位置決めスライドベース３の凸部に接触するまでスライドさせ、位置決めスライドベース固定具４で該位置決めスライドベース３を固定させ、足指でフックを引っかけ足指力を計測する手段と、予め実験で求められている男女各々の足指力と年齢の関係から足指力年齢を算出する手段と、算出された該足指力年齢に対して、コメント・アドバイスを表示する手段を含むことを特徴とする足指力を計測する装置。
【請求項３】
プログラムされたコンピュータによって足指力を計測する装置であって、足指フック２に足指を載せ、測定者の踵が位置決めスライドベース３の凸部に接触するまでスライドさせ、位置決めスライドベース固定具４で該位置決めスライドベース３を固定させ、足指でフックを引っかけ足指力を計測する工程と、予め実験で求められている男女各々の足指力と年齢の関係から足指力年齢を算出する工程と、算出された該足指力年齢に対して、コメント・アドバイスを表示する工程を含むことを特徴とする足指力を計測する方法。
【請求項４】
プログラムされたコンピュータによって足指力を計測するプログラムを記録した記録媒体であって、足指フック２に足指を載せ、測定者の踵が位置決めスライドベース３の凸部に接触するまでスライドさせ、位置決めスライドベース固定具４で該位置決めスライドベース３を固定させ、足指でフックを引っかけ足指力を計測する。次いで、予め実験で求められている男女各々の足指力と年齢の関係から足指力年齢を算出し、算出された該足指力年齢に対して、コメント・アドバイスを表示することを特徴とする足指力を計測するプログラムを記録した記録媒体。
【請求項５】
請求項１の足指力計は、計測するだけでなく、足指フック２に足指を引っかけ、繰り返し運動ができることを特徴とする足指力計。
【請求項６】
請求項１の足指力計は、繰り返し運動する際に、５ｋｇ、１０ｋｇ、１５ｋｇとＬＥＤランプで確認することができることを特徴とする足指力計。
【請求項７】
請求項１の足指力計は、外部出力も可能となっており、パソコンと繋いで計測データの曲線を表示したり、データ処理することもできることを特徴とする足指力計。
【発明の詳細な説明】
【技術分野】
【０００１】  本発明は、プログラムされたコンピュータによって足指力を計測する装置に関するものである。
【背景技術】
【０００２】  従来の技術として、特許登録３７１６３８９号「足指間圧力測定器」があり、すでに「足指間圧力測定器  チェッカーくん」なる名称で商品化され販売されているが、この技術はその名称が示すとおり足の指の間の圧力を測定する装置であり、この装置は主に第１指と第２指の間の横方向の圧力を測定する装置であって、歩行あるいは転倒防止に役立つ足指の踏ん張る力の測定を目的とする装置ではなかった。また、第１指と第２指の間の横方向の圧力を測定するため、測定者の器用不器用の要素も含まれるものであった。【０００３】  発明者らが考案した意匠登録第１４０２１８３号「足指力計」がある。しかし、足指力を計測できるが、その計測値をどのように評価するかは確立できていなかった。また、どのような分野に活かしていくかも確立できていなかった。
【発明の開示】
【発明が解決しようとする課題】
【０００４】  今後は高齢化が進み、転倒などによる骨折などの治療費は年々増加すると推測されている。しかしながら、効果的な治療法、予防策は確立されていないのが現状である。【０００５】  高齢になってから、転倒して骨折した場合、入院中に骨密度が低下する場合が多く、従来の生活に戻ることは困難なものとなり、医療費が増大する。したがって、課題としては、転倒して骨折することを事前に予防することが重要となる。さらに、各人の体力について、簡単に理解できて、訓練まで容易にできる装置を提供することである。
【課題を解決するための手段】
【０００６】  本発明は、今まで計ることをしなかった足指力を計測し、踏ん張る力があるのか、転倒しやすい状態なのかを分かり易く知らせることができるようにしたものである。具体的には、足指力を計測し、予め実験で求められている男女各々の足指力と年齢の関係から足指力年齢を算出し、算出された該足指力年齢に対して、コメント・アドバイスを表示することにより、踏ん張る力があるのか、転倒しやすい状態なのかを分かり易く知らせることができるようにしたものである。
【発明の効果】
【０００７】  本発明の足指力計は上述の手段を講じることでは、以下に記載されるような効果を奏する。【０００８】  足指力を計測し、踏ん張る力があるのか、転倒しやすい状態を数値によって知らせることで、従来よりも、測定者に分かりやすいものとなった。【０００９】  踏ん張る力があるのか、転倒しやすい状態であるかを早い時期に知ることで、転倒による骨折の発生を予防することが可能となる。【００１０】  医師や保健婦は測定者の時系列的な足指の健康状態を把握できるようになる。さらに、医師や、保健婦などは、被験者の足指の健康状態を把握したうえでの、日常・食生活、運動面などに対して的確なアドバイスおよび治療をすることができる効果を奏する。
【発明を実施するための最良の形態】
【００１１】  本発明の実施する足指力を計測する装置を図面に基づき説明すると、図１において、１は計測ボディ、２は足指フック、３は位置決めスライドベース、４は位置決めスライドベース固定具、５は計測プログラムが内蔵された表示・制御・演算・記憶部である。
【実施例】
【００１２】  まず主電源のスイッチを投入する。次いで、足指フック２に足指を載せ、測定者の踵が位置決めスライドベース３の凸部に接触するまでスライドさせ、位置決めスライドベース固定具４で該位置決めスライドベース３を固定する。【００１３】  足指で足指フック２を手前に引っ張り、足指力を計測する。【００１４】  予め実験で求められている男女各々の足指力と年齢の関係（図２）から足指力年齢を算出する。【００１５】  算出された足指力年齢に対して、コメント・アドバイスを表示する。また、その表示結果を外部プリンターによって印刷することもできる。【００１６】  計測したデータは、外部パソコンによって取り込むことができるようになっており、後でデータ処理することも可能である。【００１７】  足指力計は、計測するだけでなく、足指フック２に足指を引っかけ、繰り返し運動することもできる。【００１８】  足指力計は、繰り返し運動する際に、５ｋｇ、１０ｋｇ、１５ｋｇとＬＥＤランプで確認することができる。【００１９】  足指力計は、外部出力も可能となっており、パソコンと繋いで計測データの曲線を表示したり、データ処理することもできる。
【図面の簡単な説明】
【００２０】
【図１】  本発明の装置の斜視図である。
【図２】  本発明の予め実験で求められている男女各々の足指力と年齢の関係。
【符号の説明】
【００２１】１  計測ボディ
２  足指フック
３  位置決めスライドベース
４  位置決めスライドベース固定具
５  計測プログラムが内蔵された制御・演算・記憶部
【図１】
2016022362.tif 000003
【図２】
2016022362.tif 000004